(57)【要約】【課題】天井裏の空間を仕切るとともに通気性を確保できるパネル材およびこのパネル材を備えた建物を提供すること。【解決手段】パネル材４０は、天井裏の空間を仕切り、断熱性を有する断熱部４１と、仕切られた空間を連通する通気部４２とを備えている。これにより、少なくとも通気部４２が天井裏の空間に位置するようにパネル材４０を配置したので、各部屋の天井の高さが異なっても、天井裏の空間を仕切るとともに通気性を確保できる。【選択図】　　　　　　図３
2004068479.tif 000002
【特許請求の範囲】
【請求項１】
天井裏の空間を仕切るパネル材であって、断熱性を有する断熱部と、前記仕切られた空間を連通する通気部とを備えていることを特徴とするパネル材。
【請求項２】
請求項１に記載のパネル材において、
長尺状の芯材が枠状に組まれて形成された枠材と、この枠材の両面に張り付けられた面材とを備え、
前記断熱部は、前記枠材および前記面材で囲まれた空間に断熱材が充填されて形成され、
前記通気部は、前記面材に通気孔が設けられて形成されていることを特徴とするパネル材。
【請求項３】
請求項２に記載のパネル材において、
前記通気孔は、前記通気部の面材が省略されて形成されていることを特徴とするパネル材。
【請求項４】
請求項２または３に記載のパネル材において、
前記断熱材を固定する固定装置を備えていることを特徴とするパネル材。
【請求項５】
請求項２から４のいずれかに記載のパネル材において、
前記固定装置は、前記断熱材を囲むように配置され前記枠材に連結された長尺状の仕切芯材であることを特徴とするパネル材。
【請求項６】
請求項５に記載のパネル材において、
前記枠材は、平面直角三角形状とされ、
前記仕切芯材は、前記枠材の斜辺を除く残る２辺に略平行に配置されていることを特徴とするパネル材。
【請求項７】
請求項１から６のいずれかに記載のパネル材を備えた建物であって、
屋内空間を複数の部屋に仕切る内壁と、これらの部屋に設けられた天井とを備え、
前記内壁は、前記パネル材を含んで構成され、前記パネル材の通気部は、前記部屋の天井裏の空間に配置されていることを特徴とする建物。
【発明の詳細な説明】
【０００１】
【発明の属する技術分野】
本発明は、例えば、パネル材およびこのパネル材で建築される建物に関する。
【０００２】
【背景技術】
従来より、パネル材を用いたパネル工法で建築される建物がある。この建物は例えば、基礎と、基礎の上に設けられた建物本体と、この建物本体の上に設けられた屋根とを備えている。建物本体は、外壁と、この外壁で囲まれた屋内空間を複数の部屋に仕切る内壁（間仕切壁）と、これらの部屋に設けられた天井とを備えている。ここで、内壁は、天井下に設けられており、各部屋の小屋裏空間は連通している。
以上の屋根、外壁、および内壁は、長方形や三角形等の形状を有するパネル材を組み合わせて形成される。このうち、外壁は、断熱材が充填された外壁パネル材を組み合わせて形成され、内壁は、断熱材が充填されていない内壁パネル材を組み合わせて形成される（特開平０４−２２８７５０号公報参照）。
一方、天井の裏側には、断熱性の確保のため、断熱材が敷設される。
【０００３】
【発明が解決しようとする課題】
ところで、勾配天井等の天井高の高い部屋と、通常の天井高の低い部屋とが隣接して配置される場合がある。
この場合、パネル材の形状が限定されていることから、これらの部屋を仕切る内壁を天井下にのみ形成することは困難である。そのため、内壁は、天井を貫通して屋根の裏面にまで到達している。また、この内壁のうち各部屋の天井同士の段差に相当する部分は、天井裏の空間に接するため、断熱する必要がある。そのため、内壁のうち低い方の天井より上側の部分（屋切り部分）には、断熱性を有する外壁パネル材が用いられる。
しかしながら、外壁パネル材には断熱材が充填されているため、通気性が低く、各部屋の天井裏の空間の通気性が確保できなかった。
【０００４】
本発明の目的は、天井裏の空間を仕切るとともに通気性を確保できるパネル材およびこのパネル材を備えた建物を提供することにある。
【０００５】
【課題を解決するための手段】
上記目的を達成するため、本発明のパネル材およびこのパネル材を備えた建物は、次の構成を採用する。
本発明を図面を参照して説明すると、請求項１に記載のパネル材４０，４０Ａは、天井裏の空間を仕切るパネル材であって、断熱性を有する断熱部４１と、前記仕切られた空間を連通する通気部４２とを備えていることを特徴とする。
【０００６】
この発明によれば、１つのパネル材に断熱部と通気部とを設けたので、少なくとも通気部が天井裏の空間に位置するようにパネル材を配置すれば、各部屋の天井の高さが異なっても、天井裏の空間を仕切るとともに通気性を確保できる。
【０００７】
請求項２に記載のパネル材は、請求項１に記載のパネル材において、長尺状の芯材４３が枠状に組まれて形成された枠材４４と、この枠材の両面に張り付けられた面材４５とを備え、前記断熱部は、前記枠材および前記面材で囲まれた空間に断熱材４６が充填されて形成され、前記通気部は、前記面材に通気孔４７，４７Ａが設けられて形成されていることを特徴とする。
この発明によれば、パネル材を枠材と面材とを含んで構成したので、簡単な構造となるから、パネル材を容易に製造できる。
【０００８】
請求項３に記載のパネル材は、請求項２に記載のパネル材において、前記通気孔は、前記通気部の面材が省略されて形成されていることを特徴とする。
この発明によれば、例えば、面材を切断加工して断熱部のみを覆ことにより、通気部の面材を省略したので、容易に通気孔を形成できるから、パネル材を容易に製造できる。
【０００９】
請求項４に記載のパネル材は、請求項２または３に記載のパネル材において、前記断熱材を固定する固定装置を備えていることを特徴とする。
この発明によれば、断熱材を固定する固定装置を設けたので、パネル材の運搬時や取り付け時に断熱材がずれることがなく、パネル材の取扱性を向上できる。
【００１０】
請求項５に記載のパネル材は、請求項２から４のいずれかに記載のパネル材において、前記固定装置は、前記断熱材を囲むように配置され前記枠材に連結された長尺状の仕切芯材４８であることを特徴とする。
この発明によれば、固定装置を断熱材を囲むように配置した長尺状の仕切芯材としたので、仕切芯材で面材を裏側から補強できるから、パネル材の剛性を向上できる。
【００１１】
請求項６に記載のパネル材は、請求項５に記載のパネル材において、前記枠材は、平面直角三角形状とされ、前記仕切芯材は、前記枠材の斜辺を除く残る２辺に略平行に配置されていることを特徴とする。
この発明によれば、枠材を平面直角三角形状とし、仕切芯材を枠材の斜辺を除く残る２辺に略平行に配置したので、枠材と仕切芯材とで平面四角形状の空間を形成し、この空間に断熱材を充填させることができる。よって、市販の長方形状の断熱材を切断加工せずに充填できるから、パネル材を容易に製造できる。
【００１２】
請求項７に記載の建物１０は、請求項１から６のいずれかに記載のパネル材を備えた建物であって、屋内空間を複数の部屋２１，２２に仕切る内壁３０と、これらの部屋に設けられた天井２３，２４とを備え、前記内壁は、前記パネル材を含んで構成され、前記パネル材の通気部は、前記部屋の天井裏の空間に配置されていることを特徴とする。
この発明によれば、請求項１と同様に、各部屋の天井の高さが異なっても、天井裏の空間を仕切るとともに通気性を確保できる。
【００１３】
【発明の実施の形態】
以下、本発明の実施形態を図面に基づいて説明する。なお、以下の実施形態の説明にあたって、同一構成要件については同一符号を付し、その説明を省略もしくは簡略化する。
〔第１実施形態〕
図１には、本発明の第１実施形態に係るパネル材が適用された建物１０の全体斜視図が示されている。
建物１０は、基礎１１と、この基礎１１の上に設けられた建物本体１２と、この建物本体１２の上に設けられた屋根１３とを備えている。
屋根１３は、切妻屋根とされ、互いに反対方向に傾斜した傾斜屋根部１３１，１３２とを備えている。
【００１４】
建物本体１２は、２階建てとされ、このうち２階部分には、屋内空間を２つの部屋２１，２２に仕切る内壁３０と、これらの部屋２１，２２に設けられた天井２３，２４とを備えている。
天井２３は、屋根１３の形状に対応した勾配天井であり、水平部２３１と、この水平部の両端に設けられた傾斜部２３２とを有している。一方、天井２４は、屋根１３の形状に対応しておらず、水平とされている。したがって、天井２３の一部は、天井２４よりも高くなっている。
【００１５】
図２には、建物１０の内壁３０の拡大断面図が示されている。
各天井２３，２４の裏側には、断熱性の確保のため、断熱材２５が敷設されている。
内壁３０は、図示しない床面から天井２３，２４を貫通して屋根１３まで延びており、天井２４の下側の空間を仕切る室内部３２と、この室内部３２の上部に形成され天井２４の上側の空間を仕切る屋切り部３１とを備えている。この屋切り部３１は、屋切りパネル材４０を複数組み合わせて形成され、天井２３，２４の天井裏の空間を仕切っている。
【００１６】
図３および図４には、屋切りパネル材４０の正面図および断面図が示されている。
屋切りパネル材４０は、断熱性を有する断熱部４１と、前記仕切られた天井裏の空間を連通する通気部４２とを備えている。なお、図３中２点鎖線は、天井２３を示し、通気部４２は、部屋２１，２２の天井裏の空間に配置されている。
屋切りパネル材４０は、長尺状の芯材４３が平面三角形の枠状に組まれて形成された枠材４４と、この枠材４４の両面に張り付けられた面材４５とを備えている。
断熱部４１は、枠材４４および面材４５で囲まれた空間に断熱材４６が充填されて形成され、通気部４２は、面材４５に円形の通気孔４７が設けられて形成されている。
【００１７】
また、屋切りパネル材４０は、断熱材４６を固定する固定装置としての長尺状の仕切芯材４８を備えている。この仕切芯材４８は、芯材４３と同じ断面を有し、枠材４４の斜辺を除く残る２辺に略平行にかつ断熱材４６を囲むように配置され、枠材４４に連結されている。
【００１８】
したがって、本実施形態によれば以下の効果がある。
（１）１つの屋切りパネル材４０に断熱部４１と通気部４２とを設け、通気部４２が天井２３，２４の裏側の空間に位置するように屋切りパネル材４０を配置したので、各部屋２１，２２の天井の高さが異なっても、天井２３，２４の裏側の空間を仕切るとともに通気性を確保できる。
【００１９】
（２）屋切りパネル材４０を枠材４４と面材４５とを含んで構成したので、簡単な構造となるから、パネル材を容易に製造できる。
（３）断熱材４６を固定する固定装置としての仕切芯材４８を設けたので、屋切りパネル材４０の運搬時や取り付け時に断熱材４６がずれることがなく、屋切りパネル材４０の取扱性を向上できる。
【００２０】
（４）長尺状の仕切芯材４８を断熱材４６を囲むように配置したので、仕切芯材４８で面材４５を裏側から補強できるから、屋切りパネル材４０の剛性を向上できる。
（５）枠材４４を平面直角三角形状とし、仕切芯材４８を枠材４４の斜辺を除く残る２辺に略平行に配置したので、枠材４４と仕切芯材４８とで平面四角形状の空間を形成し、この空間に断熱材４６を充填させることができる。よって、市販の長方形状の断熱材を切断加工せずに充填できるから、屋切りパネル材４０を容易に製造できる。
【００２１】
〔第２実施形態〕
本実施形態において、屋切りパネル材４０Ａは、面材４７Ａの構造が第１実施形態と異なる。
すなわち、通気孔４７Ａは、図５に示すように、面材４５が切断加工されて断熱部４１のみを覆うことにより、通気部４２の面材が省略されて形成されている。
したがって、本実施形態によれば、第１実施形態で述べた（１）〜（５）の効果に加え、以下の効果がある。
（６）通気部４２の面材を省略したので、容易に通気孔４７Ａを形成できるから、屋切りパネル材４０Ａを容易に製造できる。
【００２２】
なお、本発明は前記実施形態に限定されるものではなく、本発明の目的を達成できる範囲での変形、改良等は本発明に含まれるものである。
例えば、前記各実施形態では、固定装置を仕切芯材４８のみで構成したが、これに限らず、図６に示すように、略平行に配置された仕切芯材４８と、これら仕切芯材４８同士の間に架け渡されたガムテープ４９とで構成してもよい。
このようにしても、前記実施形態で述べた（１）〜（６）と同様の効果がある。
【００２３】
【発明の効果】
本発明のパネル材およびこのパネル材を備えた建物によれば、次のような効果が得られる。
請求項１に記載のパネル材によれば、１つのパネル材に断熱部と通気部とを設けたので、少なくとも通気部が天井裏の空間に位置するようにパネル材を配置すれば、各部屋の天井の高さが異なっても、天井裏の空間を仕切るとともに通気性を確保できる。
【００２４】
請求項２に記載のパネル材によれば、パネル材を枠材と面材とを含んで構成したので、簡単な構造となるから、パネル材を容易に製造できる。
【００２５】
請求項３に記載のパネル材によれば、例えば、面材を切断加工して断熱部のみを覆ことにより、通気部の面材を省略したので、容易に通気孔を形成できるから、パネル材を容易に製造できる。
【００２６】
請求項４に記載のパネル材によれば、断熱材を固定する固定装置を設けたので、パネル材の運搬時や取り付け時に断熱材がずれることがなく、パネル材の取扱性を向上できる。
【００２７】
請求項５に記載のパネル材によれば、固定装置を断熱材を囲むように配置した長尺状の仕切芯材としたので、仕切芯材で面材を裏側から補強できるから、パネル材の剛性を向上できる。
【００２８】
請求項６に記載のパネル材によれば、枠材を平面直角三角形状とし、仕切芯材を枠材の斜辺を除く残る２辺に略平行に配置したので、枠材と仕切芯材とで平面四角形状の空間を形成し、この空間に断熱材を充填させることができる。よって、市販の長方形状の断熱材を切断加工せずに充填できるから、パネル材を容易に製造できる。
【００２９】
請求項７に記載の建物によれば、各部屋の天井の高さが異なっても、天井裏の空間を仕切るとともに通気性を確保できる。
【図面の簡単な説明】
【図１】本発明の第１実施形態に係るパネル材が適用された建物を示す全体斜視図である。
【図２】前記実施形態に係る建物の内壁の拡大断面図である。
【図３】前記実施形態に係るパネル材の正面図である。
【図４】前記実施形態に係るパネル材の断面図である。
【図５】本発明の第２実施形態に係るパネル材を示す斜視図である。
【図６】本発明の変形例に係るパネル材を示す断面図である。
【符号の説明】
１０　　　　　　建物
２１，２２　　　部屋
２３，２４　　　天井
３０　　　　　　内壁
４０，４０Ａ　　パネル材
４１　　　　　　断熱部
４２　　　　　　通気部
４３　　　　　　芯材
４４　　　　　　枠材
４５　　　　　　面材
４６　　　　　　断熱材
４７，４７Ａ　　通気孔
４８　　　　　　仕切芯材
【図１】
2004068479.tif 000003
【図２】
2004068479.tif 000004
【図３】
2004068479.tif 000005
【図４】
2004068479.tif 000006
【図５】
2004068479.tif 000007
【図６】
2004068479.tif 000008